(57)【要約】【課題】  追加のノイズフィルター回路を用いることなく、電磁妨害（ＥＭＩ）により生じるノイズを低減したり除去することができるように、ノイズ低減モジュールが組み込まれたデジタルビジュアルインターフェース（ＤＶＩ）コネクタを提供すること。【解決手段】  デジタルビジュアルインターフェース（ＤＶＩ）コネクタは、ノイズ低減モジュールが組み込まれる。前記ノイズ低減モジュールは、電磁妨害（ＥＭＩ）により生じるノイズを除去したり低減するために前記ＤＶＩコネクタの複数のピンに接続される。前記ノイズ低減モジュールに接続される前記ＤＶＩコネクタの前記ピンは少なくとも複数のデータピンを含む。前記ノイズ低減モジュールは前記ＤＶＩコネクタに組み込まれるため、前記ＤＶＩコネクタを採用する電気製品メーカーは、前記ＤＶＩコネクタ用の追加のＥＭＩ低減装置またはフィルター装置を使用する必要がない。【選択図】図３
0003117292.tif 000002
【実用新案登録請求の範囲】
【請求項１】
ＥＭＩノイズ低減特性を有するＤＶＩコネクタであって、ノイズ低減モジュールが、前記ＤＶＩコネクタに組み込まれかつ前記ＤＶＩコネクタの複数のピンに接続され、前記ノイズ低減モジュールに接続された前記ピンは少なくとも複数のデータピンを含む、ＤＶＩコネクタ。
【請求項２】
前記ノイズ低減モジュールは複数のコイルを含み、各コイルは１次側および２次側を有し、各コイルの前記２次側は前記ＤＶＩコネクタの前記ピンに接続され、各コイルの前記１次側は電気製品に接続される、請求項１に記載のＤＶＩコネクタ。
【請求項３】
前記ノイズ低減モジュールに接続された前記ピンは複数のクロック信号ピンを含む、請求項１に記載のＤＶＩコネクタ。
【考案の詳細な説明】
【技術分野】
【０００１】
本考案は、デジタルビジュアルインターフェース（ＤＶＩ）コネクタ、より具体的には、電磁妨害（ＥＭＩ）により生じるノイズを低減したり除去するためにノイズ低減モジュールが組み込まれたＤＶＩコネクタを提供する。
【背景技術】
【０００２】
１９９９年、シリコンイメージ（Silicon Image  商標）、インテル（Intel商標）、コンパック（Compaq  商標）、アイビーエム（IBM  商標）、ヒューレットパッカード（HP  商標）、エヌイーシー（NEC  商標）および富士通（商標）の各社からなるグループは、デジタルビジュアルインターフェース（ＤＶＩ）という名称の規格を発表した。ＤＶＩ規格は、信号伝送のためのパネルリンク（Panel Link）技術およびＴＭＤＳ（transition minimized differential signaling）プロトコルをもとに開発したものである。デジタルビデオデータがグラフィックスカードのような信号源により作られ、ＴＭＤＳプロトコルに基づいて符号化されると、符号化されたデジタルビデオデータはＴＭＤＳチャネルを経てディスプレイ装置の受信機に伝送される。前記受信機が前記デジタルビデオデータを復元した後、復元されたデジタルビデオデータが表示される。
【０００３】
前記ＤＶＩ規格は高速デジタルデータ伝送を提供する。前記ディスプレイ装置は、複雑なデジタルアナログ（Ｄ／Ａ）変換やアナログデジタル（Ａ／Ｄ）変換を経ずに前記信号源から直接前記デジタルビデオデータを受けることができるため、データ伝送時間はかなり短縮され、画像の遅延問題を解消する。
【０００４】
一般に、液晶ディスプレイ装置（ＬＣＤ）は、コンピュータのＶＧＡインターフェースに接続する。前記グラフィックスカードにより最初に作られたビデオデータはデジタル信号の方式である。前記デジタル信号は、Ｄ／Ａ変換器により、Ｒ（Red  赤）、Ｇ（Green  緑）、Ｂ（Blue  青）の要素と行列の信号とを含むアナログ信号に変換される。その後、前記アナログ信号はアナログ信号ケーブルを経て前記ＬＣＤに伝送される。前記ＬＣＤは、該ＬＣＤがデジタルビデオデータを表示することができるように、受信したアナログ信号をＡ／Ｄ変換器を用いてデジタル信号に変換する必要がある。上記のＤ／Ａ変換の間およびＡ／Ｄ変換の間に信号の歪みおよび妨害の問題が生じ、画像表示にエラーを引き起こすことがある。他方、前記ＤＶＩ規格は複雑なＤ／Ａ変換およびＡ／Ｄ変換を必要としないため、前記ＤＶＩ規格を用いるディスプレイ装置は、優れた画像品質を有することが保証される。
【考案の開示】
【考案が解決しようとする課題】
【０００５】
上記の利点があることにより、ＤＶＩインターフェースは徐々にコンピュータおよびディスプレイ装置に使用されている。しかし、たとえ前記ＤＶＩインターフェースが高速データ伝送および高品質の画像表示特性を有するとしても、前記ＤＶＩインターフェースを経る信号伝送はＥＭＩノイズの影響を受ける。よって、従来技術では、追加のノイズフィルター回路をコンピュータのマザーボードまたはＬＣＤの回路基板のいずれかに実装する必要がある。しかし、マザーボードまたは回路基板にノイズフィルター回路を追加することは、回路設計を複雑にし、これらのボード上に前記ノイズフィルター回路を実装するためのスペースが必要となる。
【０００６】
本考案の主目的は、追加のノイズフィルター回路を用いることなく、電磁妨害（ＥＭＩ）により生じるノイズを低減したり除去することができるように、ノイズ低減モジュールが組み込まれたデジタルビジュアルインターフェース（ＤＶＩ）コネクタを提供することである。ＤＶＩコネクタが取り付けられるマザーボードまたは回路基板は、より多くのスペースが他の電気素子のために使用できる。
【課題を解決するための手段】
【０００７】
前記主目的を達成するために、ノイズ低減モジュールがＤＶＩコネクタに組み込まれかつ前記ＤＶＩコネクタの複数のピンに接続され、前記ノイズ低減モジュールに接続された前記ピンは少なくとも複数のデータピンを含む。
【０００８】
本考案の他の目的、利点および新規な特徴は、添付の図面に関する以下の詳細な説明からより明らかになる。
【考案を実施するための最良の形態】
【０００９】
現在のＤＶＩコネクタには、ＤＶＩ−Ｄ、ＤＶＩ−ＩおよびＤＶＩ−Ａの３つのタイプがあり、デジタルデータのみを伝送するＤＶＩ−Ｄタイプのコネクタはシングルリンク方式またはデュアルリンク方式である。また、ＤＶＩ−Ｉコネクタはシングルリンク方式またはデュアルリンク方式である。本考案に係るＤＶＩコネクタは上記のいずれのタイプでもよい。以下に示す好ましい実施例は、ＤＶＩ−Ｉデュアルリンク方式のコネクタを使用する。図１、２を参照すると、ＤＶＩコネクタ１０は、３列に配列された少なくとも２４個のピンホール１１を含み、各列は８個のピンホール１１を有する。各ピンホール１１には１つのピン１２が取り付けられている。最上段の右隅に位置する８番目のピン１２は未使用ピン（ＤＶＩ−Ｄタイプのコネクタ用）またはアナログ信号伝送ピン（ＤＶＩ−Ｉインターフェース用）のいずれかとすることができる。他の２３本のピン１２は全てデジタルデータ伝送用に指定される。前記２３本のピンのそれぞれの機能定義を図３に示す。
【００１０】
ＤＶＩコネクタ１０にはノイズ低減モジュール２０が組み込まれ、いくつかのピン１２に接続されてこれらのピン１２がＥＭＩノイズにより障害を受けるのを防止する。ノイズ低減モジュール２０に接続された複数のピン１２は、複数のデータピンとすることができるが、これに限定されない。本実施例では、ノイズ低減モジュール２０は、ＤＶＩコネクタ１０の１，２，９、１０，１７、１８、２３、２４番目のピン１２に接続されている。
【００１１】
図４を参照すると、ノイズ低減モジュール２０は複数のコイル２１、２２、２３、２４から構成される。各コイル２１、２２、２３、２４は１次側および２次側を有する。複数のコイル２１、２２、２３、２４の２次側は、ＤＶＩコネクタ１０の複数のデータピンまたは複数のクロック信号ピンに接続されている。本実施例では、第１のコイル２１、第２のコイル２２および第３のコイル２３の２次側のそれぞれは、ＤＶＩコネクタ１０の複数のデータピン１２（Ｄａｔａ２＃／Ｄａｔａ２＋、Ｄａｔａ１＃／Ｄａｔａ１＋、Ｄａｔａ０＃／Ｄａｔａ０＋）に接続するための２つの端子を有する。第４のコイル２４の２次側は、１組のクロック信号端子（ＣＫ＋／ＣＫ＃）に接続された２つの端子を有する。複数のコイル２１、２２、２３、２４の１次側は、ＤＶＩコネクタ１０が取り付けられる回路基板のような電気製品に接続するのに使用される。複数のピン１２を経て入力されるか出力されるいずれの信号もノイズ低減モジュール２０を通過する。よって信号に対する障害の程度を効果的に低減することができる。
【００１２】
使用する際は、ＤＶＩコネクタ１０は、信号源から複数のデータピン１２を経てデータを受けることができる。複数のデータピン１２はノイズ低減モジュール２０に接続されているので、全てのコイル２１、２２、２３、２４は、ＥＭＩノイズを除去したり低減するために受信データをフィルターにかけることができる。ノイズ低減モジュール２０を通過するデータは、その後回路基板に伝送される。よって、ＥＭＩノイズにより生じる妨害問題は避けられる。
【００１３】
上記により、ＤＶＩコネクタは、ＥＭＩノイズにより生じる妨害を低減することができる。他方、より詳細には、ノイズを低減する特性はＤＶＩコネクタ外部のフィルター回路により達成されるのではなく、ＤＶＩコネクタに一体化されたノイズ低減モジュールにより達成される。よって、ＤＶＩコネクタ外部のフィルター回路のための回路基板上のスペースを確保する必要がなく、これにより回路基板の複雑な回路配置を単純化することができる。
【図面の簡単な説明】
【００１４】
【図１】本考案に係るＤＶＩコネクタの斜視図。
【図２】本考案に係るＤＶＩコネクタの正面図。
【図３】本考案に係るＤＶＩコネクタの回路図。
【図４】本考案に係るＤＶＩコネクタに一体化されたＥＭＩノイズ低減モジュールの回路図。
【符号の説明】
【００１５】
１０    ＤＶＩコネクタ
１２    ピン
２０    ノイズ低減モジュール
２１、２２、２３、２４    コイル
【図１】
0003117292.tif 000003
【図２】
0003117292.tif 000004
【図３】
0003117292.tif 000005
【図４】
0003117292.tif 000006